(57)【特許請求の範囲】
【請求項１】
高さ方向と前後方向と周方向と、身体側内面と着衣側外面と、前ウエスト域および後ウエスト域を構成し前記周方向に環を形成するベルト部材と、前記前後ウエスト域間に位置する股下域を構成する吸液構造体とを含み、前記ベルト部材は前記周方向に収縮付勢するウエスト収縮手段を有する吸収性物品において、
前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、
前記ウエスト収縮手段は、前記第１重層域または第２重層域の少なくともいずれか一方の一部に重なり、
前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向へ細長く延びる通気路が前記周方向へ複数形成され、
前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部を含むことを特徴とする前記吸収性物品。
【請求項２】
前記連続接合部は、前記第１および第２重層域の前記両側縁の近傍に形成され、前記間欠接合部は、一方の前記側縁に形成された前記連続接合部と他方の前記側縁に形成された前記連続接合部との間に形成される請求項１に記載の吸収性物品。
【請求項３】
前記間欠接合部は、前記第１および第２重層域の前記両側縁の近傍に形成され、前記連続接合部は、一方の前記側縁に形成された前記間欠接合部と他方の前記側縁に形成された前記間欠接合部との間に形成される請求項２に記載の吸収性物品。
【請求項４】
高さ方向と前後方向と周方向と、身体側内面と着衣側外面と、前ウエスト域および後ウエスト域を構成し前記周方向に環を形成するベルト部材と、前記前後ウエスト域間に位置する股下域を構成する吸液構造体とを含み、前記ベルト部材は前記周方向に収縮付勢するウエスト収縮手段を有する吸収性物品において、
前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、
前記ウエスト収縮手段は、前記第１重層域または第２重層域の少なくともいずれか一方の一部に重なり、
前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向の細長く延びる通気路が前記周方向へ複数形成され、
前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部とを含み、
前記連続接合部は、前記第１および第２重層域の前記両側縁の近傍に形成され、前記間欠接合部は、一方の前記側縁に形成された前記連続接合部と他方の前記側縁に形成された前記連続接合部との間に形成されることを特徴とする前記吸収性物品。
【請求項５】
高さ方向と前後方向と周方向と、身体側内面と着衣側外面と、前ウエスト域および後ウエスト域を構成し前記周方向に環を形成するベルト部材と、前記前後ウエスト域間に位置する股下域を構成する吸液構造体とを含み、前記ベルト部材は前記周方向に収縮付勢するウエスト収縮手段を有する吸収性物品において、
前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、
前記ウエスト収縮手段は、前記第１重層域または第２重層域の少なくともいずれか一方の一部に重なり、
前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向へ細長く延びる通気路が前記周方向へ複数形成され、
前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部とを含み、
前記間欠接合部は、前記第１および第２重層域の前記両側縁の近傍に形成され、前記連続接合部は、一方の前記側縁に形成された前記間欠接合部と他方の前記側縁に形成された前記間欠接合部との間に形成されることを特徴とする前記吸収性物品。
【請求項６】
前記通気路は、前記吸液構造体の前記内面と着用者の身体との間に形成される第１通気路と、前記吸液構造体の前記外面と前記ベルト部材の前記内面との間に形成される第２通気路とを含む請求項１〜５のいずれかに記載の吸液性物品。
【請求項７】
前記第１および第２重層域は、前記高さ方向に対向離間する上下端縁と、前記周方向に対向離間する両側縁とによって画成され、
前記上下端縁の少なくともいずれか一方において第２非接合部が形成される請求項１〜６のいずれかに記載の吸収性物品。
【請求項８】
前記ベルト部材は、その厚さ方向に貫通する複数の通気孔を形成する請求項１〜７のいずれかに記載の吸収性物品。
【請求項９】
前記吸液構造体は、前記身体側内面に位置する表面シートと、前記着衣側外面に位置する裏面シートと、これら表裏面シートの間に介在する吸液性コアと、前記第１端部および第２端部の少なくともいずれか一方を覆うカバーシートとを含み、前記カバーシートの通気度が０．１５ｋＰａ・Ｓ／ｍ２以下である請求項１〜８のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつにおいて、おむつ内部の蒸気を外部に放出させる構成として、例えば特開昭５９−１４４６０１号公報（特許文献１）が公知である。
この特許文献１によれば、おむつは身体側に位置する表面シートと、着衣側に位置する裏面シートとを有し、これら表裏面シートの間であってウエスト開口部に、ウエスト周方向に付勢可能な弾性フィルムを備えている。表裏面シートと弾性フィルムとは幅方向に間欠的に接合している。表裏面シートと弾性フィルムとの非接合部においては、弾性フィルムの収縮により表裏面シートが撓み、表裏面シート間に開口チャネルが形成される。この開口チャネルを介して、おむつ内部の蒸気を外部へと導いている。
【特許文献１】特開昭５９−１４４６０１号公報
【発明の開示】
【発明が解決しようとする課題】
【０００３】
特許文献１のおむつでは、開口チャネルの一方の端部がおむつ外部に臨み、他方の端部が吸液構造体に隣接する領域に臨んでいる。すなわち、開口チャネルの他方の端部は吸液構造体には達していない。したがって、この開口チャネルは、ウエスト開口部と吸液構造体との間のウエスト開口部近傍の蒸気を外部に放出することはできても、体液を吸収した吸液構造体から発生する股下域の蒸気までをも外部に放出することは困難であった。したがって、体液が排泄された後の股下域では湿潤感が強くなることを避けられないという問題があった。
【０００４】
本願発明では、内部の蒸気を外部に放出して、湿潤感を低下させることができる吸収性物品を提供することを課題とする。
【課題を解決するための手段】
【０００５】
本発明は、高さ方向と前後方向と周方向と、身体側内面と着衣側外面と、前ウエスト域および後ウエスト域を構成し前記周方向に環を形成するベルト部材と、前記前後ウエスト域間に位置する股下域を構成する吸液構造体とを含み、前記ベルト部材は前記周方向に収縮付勢するウエスト収縮手段を有する吸収性物品の改良に関わる。
【０００６】
第１の発明は、前記吸収性物品において、前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、前記ウエスト収縮手段は、前記第１重層域または第２重層域の少なくともいずれか一方の一部に重なり、前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向へ細長く延びる通気路が前記周方向へ複数形成され、前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部を含むことを特徴とする。
第２の発明は、前記吸収性物品において、前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、前記ウエスト収縮手段は、前記第１重層域または第２重層域の少なくともいずれか一方の一部に重なり、前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向へ細長く延びる通気路が前記周方向へ複数形成され、前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部とを含み、前記連続接合部は、前記第１および第２重層域の前記両側縁の近傍に形成され、前記間欠接合部は、一方の前記側縁に形成された前記連続接合部と他方の前記側縁に形成された前記連続接合部との間に形成されることを特徴とする。
第３の発明は、前記吸液性物品において、前記吸液構造体は、前記前後方向に対向離間する第１端部と第２端部とを有し、前記第１端部の外面が第１重層域を介して前記前ウエスト域の前記ベルト部材の内面と重なり合い、前記第２端部の外面が第２重層域を介して前記後ウエスト域の前記ベルト部材の内面と重なり合い、前記ウエスト収縮手段は、前記第１重層域または第２重層域の少なくともいずれか一方の一部に重なり、前記吸液構造体と前記ベルト部材とは、少なくとも前記ウエスト収縮手段と前記第１または第２重層域とが重なった部分では、前記高さ方向へ細長く延びるとともに前記周方向に間欠的に並ぶ複数の接合部によって接合され、前記接合部間に位置する第１非接合部によって前記股下域と前記前後ウエスト域とを連通し、前記高さ方向へ細長く延びる通気路が前記周方向へ複数形成され、前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部とを含み、前記間欠接合部は、前記第１および第２重層域の前記両側縁の近傍に形成され、前記連続接合部は、一方の前記側縁に形成された前記間欠接合部と他方の前記側縁に形成された前記間欠接合部との間に形成されることを特徴とする。
【０００７】
好ましい実施態様のひとつとして、前記通気路は、前記吸液構造体の前記内面と着用者の身体との間に形成される第１通気路と、前記吸液構造体の前記外面と前記ベルト部材の前記内面との間に形成される第２通気路とを含む。
【０００８】
好ましい他の実施態様のひとつとして、前記第１および第２重層域は、前記高さ方向に対向離間する上下端縁と、前記周方向に対向離間する両側縁とによって画成され、前記上下端縁の少なくともいずれか一方において第２非接合部が形成される。
【０００９】
好ましい他の実施態様のひとつとして、前記接合部は、前記高さ方向へ延びて前記吸液構造体と前記ベルト部材とを接合する連続接合部、ならびに前記高さ方向へ延びて前記吸液構造体と前記ベルト部材とを接合する部分および前記高さ方向へ延びて前記吸液構造体と前記ベルト部材とを接合しない部分を前記高さ方向へ並べる間欠接合部とを含む。
【００１０】
好ましい他の実施態様のひとつとして、前記連続接合部は、前記第１および第２重層域の前記両側縁の近傍に形成され、前記間欠接合部は、一方の前記側縁に形成された前記連続接合部と他方の前記側縁に形成された前記連続接合部との間に形成される。
【００１１】
好ましい他の実施態様のひとつとして、前記間欠接合部は、前記第１および第２重層域の前記両側縁の近傍に形成され、前記連続接合部は、一方の前記側縁に形成された前記間欠接合部と他方の前記側縁に形成された前記間欠接合部との間に形成される。
【００１２】
好ましい他の実施態様のひとつとして、前記ベルト部材は、その厚さ方向に貫通する複数の通気孔を形成する。
【００１３】
好ましい他の実施態様のひとつとして、前記吸液構造体は、前記身体側内面に位置する表面シートと、前記着衣側外面に位置する裏面シートと、これら表裏面シートの間に介在する吸液性コアと、前記第１端部および第２端部の少なくともいずれか一方を覆うカバーシートとを含み、前記カバーシートの通気度が０．１５ｋＰａ・Ｓ／ｍ２以下である。
【発明の効果】
【００１４】
本発明において、ベルト部材には周方向に収縮可能なウエスト収縮手段を備え、吸液構造体とベルト部材とが重なり合った第１および第２重層域は、高さ方向に延びるとともに周方向に間欠的に並ぶ接合部によって接合している。接合部間に位置する非接合部において股下域と前後ウエスト域とを連通する通気路を形成している。この通気路を介して股下域の蒸気が吸収性物品の外部に放出されるので、内部の湿潤感を低下させることができる。
【発明を実施するための最良の形態】
【００１５】
図１〜５は、本発明の吸収性物品の一例としての使い捨ておむつについての第１の実施形態を示したものである。図１はおむつが着用されたときの状態を示したものであり、説明しやすいようにその一部を切り欠いている。図示したように、おむつは前ウエスト域１および後ウエスト域２を構成し周方向Ｒに環を形成するベルト部材４と、前後ウエスト域１，２間に位置する股下域３を構成する吸液構造体５とを含む。
【００１６】
ベルト部材４は、前ウエスト域１に位置する前ベルト部６と、後ウエスト域２に位置する後ベルト部７とを有し、これら前後ベルト部６，７の周方向Ｒの側縁８，９の対向面が重なり合い、高さ方向Ｚに間欠的並ぶ複数の側縁接合部１０によって形成されたシーム部１１を有する。このように側縁接合部１０で前後ベルト部６，７が接合されることにより、ウエスト開口が画成される。
【００１７】
前ベルト部６は身体側内面１２を構成する内面シート１４と着衣側外面１３を形成する外面シート１５とを含み、これら内外面シート１４，１５の間にウエスト収縮手段としての糸状のウエスト弾性部材１８を備えている。内外面シート１４，１５は一枚の繊維不織布から形成され、ウエスト側開口端１９で折り返されて、ウエスト弾性部材１８を挟んでいる。
同様に、後ベルト部７は、内外面シート１６，１７と、これら間に介在するウエスト弾性部材１８とを含み、内外面シート１６，１７は一枚の繊維不織布をウエスト側開口端１９で折り返したものである。繊維不織布としては、スパンボンド法、メルトブローン法、ポイントボンド法、スルーエア法などにより得られた一般的なものを用いることができる。
【００１８】
ウエスト弾性部材１８は、周方向Ｒに延びており、前後ベルト部６，７のウエスト側開口端１９から股下側開口端２０に亘って高さ方向Ｚに間欠的に複数条配置されている。このウエスト弾性部材１８は、伸長状態で取り付けられ、ベルト部材４を周方向Ｒに収縮付勢する。これらウエスト弾性部材１８の高さ方向Ｚの間隔は８〜１０ｍｍであることが好ましく、周方向Ｒに１．５から３．０倍に伸長させて配置することができる。
ウエスト弾性部材１８は内外面シート１４，１５の少なくとも一方あるいは内外面シート１６，１７の少なくとも一方に接着剤（図示せず）を介して接合している。
【００１９】
吸液構造体５は、身体側内面１２を構成する透液性表面シート２１と、着衣側外面１３を構成する不透液性裏面シート２２と、これら表裏面シート２１，２２の間に介在し図示しないティッシュペーパ等で包まれた吸液性コア２３とを含み、吸液性コア２３は表裏面シート２１，２２の少なくともいずれか一方に固着される。裏面シート２２として透湿性かつ不透液性のフィルムを用いることができるが、この場合には、スパンボンド法やスルーエア法などにより得られた繊維不織布を別に張り合わせて、肌触りを向上させることもできる。
【００２０】
吸液構造体５は、股下域３を前後方向Ｙに延びるとともに、前後方向Ｙに対向離間する第１端部２４と第２端部２５とを含む。第１端部２４の不透液性裏面シート２２を前ベルト部６の内面シート１４に重ね合わせて第１重層域２６を形成し、第２端部２５の不透液性裏面シート２２を後ベルト部７の内面シート１６に重ね合わせて第２重層域２７を形成している。第１重層域２６および第２重層域２７では、接合部３２によって前後ベルト部６，７と吸液構造体５とを接合し、これら接合により前後ベルト部６，７の股下側開口端２０と吸液構造体５の前後方向Ｙに延びる一対の側縁２８とが脚周り開口２９を形成する。
【００２１】
図２は図１の側縁接合部１０をはずし、おむつを前後方向Ｙに展開して得られる平面図である。この図２では、ウエスト弾性部材１８および股下弾性部材３１は伸長状態にあり、収縮付勢しない状態を示している。
図示したように、吸液構造体５の表裏面シート２１，２２はほぼ矩形を有し、吸液性コア２３はほぼ砂時計形を有している。すなわち、吸液性コア２３は、前後方向Ｙを二等分する横中心線Ｑ近傍においては、第１端部２４および第２端部２５よりもその幅方向Ｘの距離が短くなるように湾曲して切り欠かれている。
【００２２】
吸液構造体５の両側縁２８では、表裏面シート２１，２２が吸液性コア２３から延出して対向し、サイドフラップ３０が形成されるが、吸液性コア２３が砂時計形を有することによって、横中心線Ｑ近傍ではサイドフラップ３０の面積が大きくなるようにしている。表裏面シート２１，２２間には両側縁２８に沿って前後方向Ｙに延びる股下弾性部材３１が伸長状態で配置されている。この股下弾性部材３１の収縮によって、両側縁２８が着用者の脚周りに密着し、サイドフラップ３０によって脚周りとおむつの脚周り開口２９との間から尿などの排泄物が漏れるのを防止している（図１参照）。
【００２３】
第１および第２重層域２６，２７は、前後ベルト部６，７の幅方向Ｘに対してほぼ中心部に形成され、前後ベルト部６，７の左右側には、両側縁８，９を含む吸液構造体５が接合されない部分が形成される。
第１および第２重層域２６，２７の前後方向Ｙの長さは、前ベルト部６のウエスト側開口端１９から後ベルト部７のウエスト側開口端１９までの全長の約８５％を占める。
【００２４】
第１重層域２６は前後方向Ｙに対向離間する上下端縁４０，４１と、周方向Ｒに対向離間する両側縁４４とによって画成され、第２重層域２７は前後方向に対向離間する上下端縁４２，４３と、周方向Ｒに対向離間する両側縁４４とによって画成される。第１重層域２６の上端縁４０は吸液構造体５の第１端部２４に相当し、下端縁４１は前ベルト部６の股下側開口端２０に相当する。両側縁４４は、吸液構造体５の側縁部２８に相当する。第２重層域２７の上端縁４２は吸液構造体５の第２端部２５に相当し、下端縁４３は後ベルト部７の股下側開口端２０に相当する。両側縁４４は、吸液構造体５の側縁部２８に相当する。
【００２５】
第１および第２重層域２６，２７では、吸液構造体５の裏面シート２２と、前後ベルト部材６，７の内面シート１４，１６とを接着剤によって接合部３２で接合している。接合部３２は幅方向Ｘに間欠的に並び、接合部３２間に接着剤が存在しない第１非接合部４５を形成している。各接合部３２の幅方向Ｘの寸法は３〜５０ｍｍであることが望ましい。この寸法が３ｍｍよりも短いときには十分な接着性が得られず、シートが剥がれやすくなり、５０ｍｍよりも長いときには接合部３２間の距離を十分にとることができず、第１非接合部４５の幅方向Ｘの十分な長さを確保することができない。第１非接合部４５の幅方向Ｘの寸法は３〜１５ｍｍであることが望ましい。この寸法が３ｍｍよりも短いときには、第１非接合部４５によって形成される後述の通気路の形成が困難となり、１５ｍｍよりも長いときには接合部３２の幅を十分にとることができない。
【００２６】
第１および第２重層域２６，２７の上下端縁４０，４１および４２，４３近傍では接着剤が存在しない第２非接合部４６，４７を形成している。これら第２非接合部４６，４７は、第１および第２重層域２６，２７の幅方向Ｘ全域に亘って延びている。上下端縁４０，４１，４２，４３から接合部３２の前後方向Ｙの端部までの寸法は、約１０ｍｍとしている。この寸法は、上下端縁４０，４１，４２，４３のめくれを考慮したものであり、この数値に限定されることなく、５ｍｍ以上３０ｍｍ以下であればよい。
【００２７】
ウエスト側開口端１９から股下側開口端２０までの前後方向Ｙの全域に亘って、ウエスト弾性部材１８が配設されている。したがって、第１および第２重層域２６，２７の前後方向Ｙの全域に亘ってウエスト弾性部材１８が厚さ方向に重なるようになる。またウエスト弾性部材１８が左右の側縁部８，９の幅方向Ｘの全域に亘って配設されているから、第１および第２重層域２６，２７の両側縁２８の幅方向Ｘの全域にわたってウエスト弾性部材１８が重なるようになる。したがって、第１および第２重層域２６，２７の全域に、ウエスト弾性部材１８の収縮力が作用する。
第１および第２重層域２６，２７には、吸液性コア２３の前後方向Ｙに対向離間する一方の端部２３ａおよび他方の端部２３ｂも位置させるようにして、吸液性コア２３にもウエスト弾性部材１８の収縮力を作用させている。
【００２８】
図３は、図２のＩＩＩ−ＩＩＩ線断面図である。この図は前ウエスト域１を示したものであるが、後ウエスト域２でもその構成は同じであるので、この図を用いて同時に説明する。図３（ａ）はウエスト弾性部材１８の伸長状態を示したものであり、図示したように、前後ベルト部６，７の外面シート１５，１７と内面シート１４，１６との間に、ウエスト弾性部材１８を図示しない接着剤で接合している。内面シート１４，１６と吸液構造体５の裏面シート２２とを、間欠的に並んだ接合部３２で接合している。接合部３２間には第１非接合部４５が形成される。
【００２９】
図３（ａ）からウエスト弾性部材１８を矢印方向へと収縮させたのが図３（ｂ）に示す状態である。ウエスト弾性部材１８が収縮すると、第１非接合部４５における表裏面シート２１，２２および吸液性コア２３が撓んで図面上方である身体側に突出し、表面シート２１と身体との間に複数の溝状の第１通気路３４が形成される。第１通気路３４どうしの間には、突出した複数条の頂部３８が形成され、この頂部３８が着用者の身体に当接する。頂部３８が着用者に当接し、溝状の第１通気路３４が当接しないので、この第１通気路３４が着用者との間で空洞を形成することができる。また、この第１非接合部４５において吸液構造体５が身体側に突出することで、前後ベルト部６，７の内面シート１４，１６と吸液性構造体５の裏面シート２２との間には複数の筒状の第２通気路３５も同時に形成される。
【００３０】
図４は図２のＩＶ−ＩＶ線断面図であり、接合部３２上で切断したものである。図は着用状態での前ウエスト域１について示しているが、後ウエスト域２でも同様であるので、同時に説明する。図示のように、第１通気路３４は、接合部３２に沿って形成され、第１および第２重層域２６，２７の第１および第２端部２４，２５から股下側開口端２０に亘って高さ方向に延びる。したがって、第１通気路３４の一端３４ａは前後ウエスト域１，２に臨み、他端３４ｂは股下域３に臨む。第１通気路３４は、股下域３の蒸気を着用者３７の腹または背中を伝って前後ウエスト域１，２に導くことができる。
【００３１】
図５は図２のＶ−Ｖ線断面図であり、第１非接合部４５上で切断したものである。図は着用状態での前ウエスト域１について示しているが、後ウエスト域２でも同様であるので、同時に説明する。第２通気路３５は、第１非接合部４５に沿って形成される。この第２通気路３５は第２非接合部４６，４７を介して、その一端３５ａを前後ウエスト域１，２に臨ませ、他端３５ｂを股下域３に臨ませるとともに前後ベルト部６，７の股下側開口端２０からおむつ外部に臨ませている。すなわち、第１および第２重層域２６，２７の上下端縁４０，４１および４２，４３では、おむつ内部の蒸気を、第２非接合部４６を介して第２通気路３５に導き、第２非接合部４７を介して、図面上方から下方へとおむつ外部に放出することができる。
【００３２】
この発明によれば、股下域３の蒸気は第１通気路３４を介して前後ウエスト域１，２に導かれ、前後ウエスト域１，２の蒸気は第２通気路３５を介しておむつ外部に放出される。したがって、排泄された尿が吸液性コア２３に吸収され、股下域３を中心におむつ内の湿度が上昇しても、第１通気路３４および第２通気路３５を介して蒸気を外部に放出することができるので、おむつ内の湿潤感を低下させることができる。
第１通気路３４および第２通気路３５は、吸液構造体の表裏面シート２１，２２および吸液性コア２３によって形成され、特に吸液性コア２３が他のシートに比べると高剛性であることから、第１および第２通気路３４，３５が体圧等によってつぶされにくい。
【００３３】
第１および第２重層域２６，２７の上下端縁４０，４１，４２，４３の近傍では、第１および第２重層域２６，２７の幅方向Ｘ全域に亘って第２非接合部４６，４７を形成している。この第２非接合部４６，４７によって、第２通気路３５どうしを連通させることができる。したがって、第２通気路３５の一端３５ａあるいは他端３５ｂの一部が身体の動きによってふさがれたとしても、第２非接合部４６，４７を介して他の第２通気路３５に連通可能なので、通気能力を低下させることがない。
【００３４】
この発明において、ウエスト収縮手段としてウエスト弾性部材を用いているが、例えば弾性シートなど、他の手段を用いてもよい。また、ベルト部材そのものを伸縮性不織布などで形成したり、伸縮性不織布と非伸縮性不織布とを組み合わせたシートで形成したりして、ベルト部材がウエスト収縮手段を兼ねるようにしてもよい。
ウエスト弾性部材１８はベルト部材４のほぼ全域に亘って配置しているが、その一部において配置されているものであってもよい。ただし、少なくとも吸液構造体５との第１重層域２６あるいは第２重層域２７の一部に重なることによって、この吸液構造体５に収縮力を付与させるものでなければならない。第１および第２重層域２６，２７の幅方向Ｘの全域に亘ってウエスト弾性部材１８の収縮力を作用させることによって、その幅方向においてはより多くの通気路を形成することができ、その分、通気量を多くすることができる。
【００３５】
第１および第２重層域２６，２７の上下端部４０，４１，４２，４３に第２非接合部４６を形成しているが、これが形成されていなくてもよい。すなわち、第１通気路３４および第２通気路３５を第１および第２重層域２６，２７の前後方向Ｙの全域に亘って形成し、股下域３と前後ウエスト域１，２とを第１非接合部４５で直接連通するようにしてもよい。第１通気路３４においては股下域３の蒸気を前後ウエスト域１，２に放出することができ、第２通気路３５においては前後ウエスト域１，２の蒸気をおむつ外部に放出することができるものであればよい。
接合部３２では、接着剤としてホットメルト接着剤を用いて前後ベルト部６，７と吸液構造体５とを接合しているが、他の接着剤でもよいし、接着剤のほかに、例えば超音波によって接合するようにしてもよい。
【００３６】
図６は、この発明の第２の実施形態を示したものであり、図２と同様な平面図であって、第１重層域２６を拡大したものである。第２重層域２７でも同じ構成であるので、この図を使用して同時に説明する。この第２の実施形態においては、高さ方向へ延びて吸液構造体５とベルト部材４とを接合する連続接合部４８、ならびに高さ方向へ延びて吸液構造体５とベルト部材４とを接合する部分および高さ方向へ延びて吸液構造体５とベルト部材４とを接合しない部分を高さ方向へ並べる間欠接合部４９とを含むことを特徴とする。この特徴以外の他の構成は、第１の実施形態と同様であるので、この同様の構成についての詳細な説明を省略する。
【００３７】
連続接合部４８は、第１および第２重層域２６，２７の両側縁４４の近傍に各一条ずつ形成され、間欠接合部４９は、一方の側縁４４に形成された連続接合部４８と他方の側縁４４に形成された連続接合部４８との間に形成されている。間欠接合部４９は、第１部４９ａと第２部４９ｂとに分割され、これら第１部４９ａと第２部４９ｂとは前後方向Ｙのほぼ中央で離間している。第１部４９ａと第２部４９ｂとの離間寸法は約５ｍｍであり、３ｍｍ〜１０ｍｍの範囲にあることが望ましい。離間寸法が３ｍｍよりも短くなると十分な通気をすることができず、１０ｍｍよりも長くなると接合強度が不足するからである。
【００３８】
間欠接合部４９を設けることにより、第１非接合部４５どうしを第１および第２重層域２６，２７の前後方向Ｙのほぼ中央で連通することができる。すなわち、第１非接合部４５によって形成された第２通気路３５どうしが間欠接合部４９の離間部分で連通される。したがって、第２通気路３５が上下端縁４０，４１および４２，４３側でふさがってしまった場合であっても、その中央で他の第１非接合部４５と連通し、股下域３の蒸気をおむつの外部に放出することができる。股下域３の一部において蒸気が放出されずに、部分的に湿潤するのを防止することができる。
【００３９】
連続接合部４８を両側縁４４に形成することによって、蒸気が幅方向Ｘの外側へと漏れるのを防止し、蒸気が第２通気路３５を介しておむつ外部へと放出されるようにしている。この実施形態では連続接合部４８を両側縁４４に各一条ずつ形成しているが、これに限ったものではなく、二条以上あってもよく、蒸気の幅方向Ｘへの漏れを防止できればよい。
【００４０】
この実施形態では、両側縁４４に連続接合部４８を形成しているが、図７に示したように両側縁４４に間欠接合部４９を形成するようにしてもよい。この図７の態様では、一方の側縁４４に形成した間欠接合部４９と、他方の側縁４４に形成した間欠接合部４９との間に複数の連続接合部４８を形成している。また、連続接合部４８と間欠接合部４９とを幅方向Ｘに対して交互に形成するようにしてもよい。間欠接合部４９を形成することによって、前後方向Ｙに延びる第１非接合部４５どうしを連結することができるから、この第１非接合部４５によって形成される第２通気路３５どうしを連結することができる。第２通気路３５は幅方向Ｘに向かって連通され、その上下端縁４０，４１側がふさがれた場合であっても、この連通を介して蒸気をおむつ外部に放出することができる。
【００４１】
図８，９は、この発明の第３の実施形態を示したものである。図８はこの実施形態におけるおむつ全体の斜視図であり、図９は図３（ｂ）と同様な端面図である。この第３の実施形態においては、ベルト部材４に、その厚さ方向に貫通する複数の通気孔３６を備えたことを特徴とする。この特徴以外の他の構成は、第１の実施形態と同様であるので、同様の構成についての詳細な説明を省略する。
【００４２】
前後ベルト部６，７の内外面シート１４，１５および内外面シート１６，１７の全域に亘って、これらを貫通する複数の通気孔３６を形成している。この通気孔３６は、図９のように第１非接合部４５に設けるのが望ましい。接合部３２の接着剤によって通気孔３６がふさがれるのを防止するためである。通気孔３６は直径１〜２ｍｍ程度であることが好ましく、前後ベルト部６，７に配設されたウエスト弾性部材１８に重ならないように形成することが望ましい。
このように通気孔３６を形成することによって、第２通気路３５に導かれた蒸気を、通気孔３６を介しておむつ外部に放出することができ、おむつ内の湿潤感をより一層軽減することができる。
【００４３】
図１０は、この発明の第４の実施形態を示したものである。この第４の実施形態では、吸液構造体５の第１端部２４および第２端部２５にカバーシート５０を取り付け、吸収性コア２３が表裏面シート２１，２２の間からこぼれ出るのを防止することを特徴とする。その他の構成については第１の実施形態と同様であるので、その構成についての詳細な説明を省略する。
【００４４】
カバーシート５０は、通気度が０．１１３ｋＰａ・Ｓ／ｍ２であり、抗菌性を備える吸汗性シートで形成され、第１および第２端部２４，２５を覆って前後ベルト部６，７の内面シート１４，１６に固着されている。カバーシート５０は、幅方向Ｘに対向離間する両側部５０ｃと、前後方向Ｙに対向離間する一方の端部５０ａと他方の端部５０ｂとを含んでいる。幅方向Ｘの一方の側部５０ｃから他方の側部５０ｃまでの寸法は、後ベルト部６，７の幅方向Ｘの寸法、すなわち一方の側縁８，９から他方の側縁８，９までの寸法とほぼ等しくしている。
【００４５】
一方の端部５０ａは、その全部を内面シート１４，１６に対向させ、この対向面で接着又は溶着により接合されている。他方の端部５０ｂは、その中央付近で第１又は第２端部２４，２５に重なり、両側部５０ｃ付近では内面シート１４，１６に重なり、それぞれ接着又は溶着により接合されている。すなわち、カバーシート５０は第１および第２端部２４，２５を跨いで、その一方の端部５０ａを内面シート１４，１６に接合し、他方の端部５０ｂを吸液構造体５の表面シート２１と内面シート１４，１６とに接合することにより、第１および第２端部２４，２５を覆っている。したがって、第１および第２端部２４，２５どうしの接合が部分的に外れたような場合でも、吸液性コア２３がこぼれ出てくるのを防止することができる。吸液性コア２３は親水性パルプや超吸収ポリマー等で構成され、これら構成物が第１および第２端部２４，２５からこぼれ出ると肌に刺激を与えてしまう。特にポリマーは粒子が小さく、僅かな隙間からでもこぼれ出てしまうが、カバーシート５０を備えることによって、パルプやポリマーがこぼれ出るのを防止することができる。
【００４６】
この実施形態によれば、カバーシート５０で第２通気路３５の一端３５ａがふさがれることになるが、カバーシート５０の通気度を０．１１３ｋＰａ・Ｓ／ｍ２としているので、第２通気路３５の通気が妨げられることはない。通気度は前記の値に限定されるものではなく、０．１５ｋＰａ・Ｓ／ｍ２以下であれば第２通気路３５の通気を妨げることなく、吸液性コア２３がこぼれ出るのを防止することができる。
通気度は、フラジール形法に基づき測定した。
【００４７】
カバーシート５０の幅方向Ｘの寸法と、前後ベルト部６，７の幅方向Ｘの寸法とを等しくしているので、おむつの製造工程において、カバーシート５０と前後ベルト部６，７とを重ねた状態で同時に切断することができる。したがって、製造工程を短縮することができる。
カバーシート５０は抗菌性を備える吸汗性シートであるので、吸液性コア２３のこぼれ防止だけでなく、着用者の汗を吸収し着用感を良好に保つことができる。カバーシート５０は前後ベルト部６，７の側縁８，９に亘って形成されているので、カバーシート５０が着用者のウエストを一周して着用者の汗を吸収することができる。
【図面の簡単な説明】
【００４８】
【図１】本発明の第１の実施形態を示す斜視図。
【図２】図１のおむつを展開したときの平面図。
【図３】（ａ）は図２のＩＩＩ−ＩＩＩ線拡大断面図であり、ウエスト収縮手段が伸長状態にあるときを示したものである。（ｂ）は図３（ａ）からウエスト収縮手段が収縮した状態にあるときを示したものである。
【図４】図２のＩＶ−ＩＶ線断面図。
【図５】図２のＶ−Ｖ線断面図。
【図６】第２の実施形態を示す第１および第２重層域の拡大図。
【図７】第２の実施形態の異なる態様の例を示す図６と同様な図。
【図８】第３の実施形態を示す斜視図。
【図９】第３の実施形態を示す図３（ｂ）と同様な図。
【図１０】第４の実施形態のおむつを展開したときの平面図。
【符号の説明】
【００４９】
１    前ウエスト域
２    後ウエスト域
３    股下域
４    ベルト部材
５    吸液構造体
１２    身体側内面
１３    着衣側外面
１８    ウエスト弾性部材（ウエスト収縮手段）
２４    第１端部
２５    第２端部
２６    第１重層域
２７    第２重層域
３２    接合部
３４    第１通気路
３５    第２通気路
４５    第１非接合部
４６，４７    第２非接合部
４８    連続接合部
４９    間欠接合部
【図１】
0005225640.tif 000002
【図２】
0005225640.tif 000003
【図３】
0005225640.tif 000004
【図４】
0005225640.tif 000005
【図５】
0005225640.tif 000006
【図６】
0005225640.tif 000007
【図７】
0005225640.tif 000008
【図８】
0005225640.tif 000009
【図９】
0005225640.tif 000010
【図１０】
0005225640.tif 000011